(57)【特許請求の範囲】
【請求項１】
記録可能回数が制限されている映像データを、第１記録媒体に記録する手段と、
該第１記録媒体に記録された映像データを第２記録媒体に記録するデータ記録手段と、
前記第１記録媒体に記録した映像データの記録可能回数を記憶し、前記データ記録手段により第２記録媒体に前記映像データが記録された場合に該映像データの記録可能回数を減算して記憶する回数記憶手段と、
前記回数記憶手段に記憶する前記映像データの設定記録可能回数を受け付ける回数受付手段と、
前記設定記録可能回数を受け付けた場合に、前記回数記憶手段に記憶された記録可能回数を前記設定記録可能回数に変更する手段と、
前記第１記録媒体の残容量が所定量以下である場合に、前記回数受付手段が設定記録可能回数を受け付けた映像データを、前記第１記録媒体から削除する映像データの候補として表示する手段と
を備えることを特徴とする映像記録装置。
【請求項２】
記録可能回数が制限されている映像データを、第１記録媒体に記録する手段と、
該第１記録媒体に記録された映像データを第２記録媒体に記録するデータ記録手段と、
前記第１記録媒体に記録した映像データの記録可能回数を記憶し、前記データ記録手段により第２記録媒体に前記映像データが記録された場合に該映像データの記録可能回数を減算して記憶する回数記憶手段と、
前記回数記憶手段に記憶する前記映像データの設定記録可能回数を、映像データのジャンル別に受け付ける回数受付手段と、
前記設定記録可能回数を受け付けた場合に、前記回数記憶手段に記憶された記録可能回数を前記設定記録可能回数に変更する手段と
を備えることを特徴とする映像記録装置。
【請求項３】
前記映像データ及び該映像データに付与された付与記録可能回数を入力する手段と、
前記付与記録可能回数を前記回数記憶手段に記憶する手段と
を備えることを特徴とする請求項１又は２に記載の映像記録装置。
【請求項４】
前記回数受付手段は、前記付与記録可能回数の制限範囲内で、前記設定記録可能回数を受け付けるように構成されていることを特徴とする請求項３に記載の映像記録装置。
【請求項５】
前記映像データを前記第１記録媒体から前記第２記録媒体に記録した回数が前記設定記録可能回数と等しくなった場合に、前記映像データを前記第１記録媒体から削除する手段を備えることを特徴とする請求項１から４までのいずれか１項に記載の映像記録装置。
【請求項６】
（前記付与記録可能回数−前記映像データを前記第１記録媒体から前記第２記録媒体に記録した回数）を表示する手段を備えることを特徴とする請求項３から５までのいずれか１項に記載の映像記録装置。
【請求項７】
前記回数受付手段は、映像データを前記第１記録媒体に記録する前に、前記設定記録可能回数を受け付けるように構成されていることを特徴とする請求項１から６までのいずれか１項に記載の映像記録装置。
【請求項８】
映像データの記録の予約を受け付ける手段を備え、
前記回数受付手段は、前記記録の予約を受け付けた場合に前記設定記録可能回数を受け付けるように構成されていることを特徴とする請求項１から７までのいずれか１項に記載の映像記録装置。
【請求項９】
前記映像データとしてのテレビジョン放送信号を受信する手段と、
前記映像データに基づく映像を表示する手段と、
請求項１から８までのいずれか１項に記載の映像記録装置と
を備えることを特徴とするテレビジョン受信機。
【発明の詳細な説明】
【技術分野】
【０００１】
本発明は、記録された映像データの管理を行う映像記録装置、及び該映像記録装置を備えるテレビジョン受信機に関する。
【背景技術】
【０００２】
テレビジョン放送により放送された番組データを記録するＢＤ（Blu-ray：登録商標）
レコーダ等の各種の映像記録装置が提供されている。映像記録装置には、内蔵のＨＤＤ（ハードディスク装置）のハードディスク（ＨＤ）等の記録媒体に番組の映像又は音声等の内容を表す番組データを記録するものと、ＢＤ及びＤＶＤ等の記録媒体に番組データを記録するものとがある。最近は、記録容量の確保及びバックアップ等を目的として、内蔵のＨＤに記録されたデータを、装着したＢＤ及びＤＶＤ等の他の記録媒体にダビングする機能を有するものが普及している。
【０００３】
デジタルテレビジョン放送をデジタル方式で録画したものをコピーする場合、アナログ方式に比べて画質の劣化が少ないため、コピーを際限なく許可することにしたとき、映画等のＤＶＤ、ＢＤの販売等に影響することが考えられる。従って、日本では２００４年４月から、ＢＳデジタル放送及び地上デジタル放送のすべての番組に対し「コピーワンス」というコピー制限が適用されてきた。この「コピーワンス」においては、放送された映像データを録画することが１世代目のコピーに相当し、ＨＤＤに録画したものを他の記録媒体にコピーする場合、コピー元の映像データを消去しながら他の記録媒体に移動する「ムーブ」しか許されていなかった（他の記録媒体にコピーしたときにコピー元の映像データは再生不可能となるように処理される）。
【０００４】
この「コピーワンス」ではムーブに失敗した場合、録画した映像データを失うことになるので、ＢＳデジタル放送の有料放送及びＣＳデジタル放送等の一部の放送を除き、２００８年７月より「ダビング１０」というコピー制限が適用されることになった。「ダビング１０」では、放送された映像データを、チューナ及びＨＤＤを内蔵する映像記録装置のＨＤＤに録画することは１世代目のコピーには相当せず、ＨＤＤから他の記録媒体［ＢＤ、ＤＶＤ、メモリーカード、i.LINK（登録商標）］等のデジタル接続先の記録媒体）へコピーすることが１世代目のコピーに相当する。すなわち、「ダビング１０」では、デジタルコピーが１０回まで許可されている（１０回目はムーブになる）。そして、「コピーワンス」と同様に、ダビング１０が適用される映像データをＨＤＤからＢＤ等の可搬の記録媒体にダビングした後、その記録媒体にダビングされた映像データを、さらに他の可搬の記録媒体にデジタルコピーすることは不可能となっている。
【０００５】
ダビング１０においては、ダビングの制限回数に達していない映像データは「ムーブ」処理の対象とならないため、複数回ダビングを行った映像データであっても、従来のように消去されずにＨＤＤ内に残ることになる。従って、現在では比較的自由に映像記録装置内の映像データをダビングすることができるようになっている。
そして、近年、記録モードも２倍記録、５倍記録、１０倍記録等、画質をあまり落とさずに映像データをより小さい容量で記録することができる仕様のＨＤＤ内蔵の映像記録装置が提供されており、搭載されるＨＤＤの容量も年々大きくなってきていることと相まって、保存できる映像データの数が飛躍的に多くなってきている。
【０００６】
このような状況下でダビング等した後の元の映像データは基本的には不要になることが多いが、逆に残しておきたいときもある。そのため、映像データのダビング処理後、ユーザは映像データ毎に消去するかどうかを、都度、再生等を行って判断し、不要な映像データは消去する必要がある。
そこで、例えば特許文献１には、ダビングを行った映像データにダビング済みフラグ等の属性データを付与して管理し、該属性データを利用してダビング済み映像データを削除候補としてリスト化し、ユーザに提案するコンテンツデータ管理装置の発明が開示されている。
【先行技術文献】
【特許文献】
【０００７】
【特許文献１】特開２００４―２９７４２７号公報
【発明の概要】
【発明が解決しようとする課題】
【０００８】
上述の特許文献１のコンテンツデータ管理装置においては、ユーザは、表示されたコンテンツの削除候補リストを見て削除するコンテンツを選択する必要があり、操作が煩雑であるという問題があった。また、ユーザの意思に起因して不要なコンテンツが削除候補に挙がるものでもなかった。
【０００９】
本発明は斯かる事情に鑑みてなされたものであり、記録可能回数が制限されている映像データをＨＤＤ等の内蔵記録媒体へ記録し、該内蔵記録媒体から他の記録媒体へ必要回数ダビングした後は自動的に映像データを内蔵記録媒体から削除することができ、容易に映像データを管理及び整理することができる映像記録装置、及び該映像記録装置を備えるテレビジョン受信機を提供することを目的とする。
【課題を解決するための手段】
【００１０】
本発明に係る映像記録装置は、記録可能回数が制限されている映像データを、第１記録媒体に記録する手段と、該第１記録媒体に記録された映像データを第２記録媒体に記録するデータ記録手段と、前記第１記録媒体に記録した映像データの記録可能回数を記憶し、前記データ記録手段により第２記録媒体に前記映像データが記録された場合に該映像データの記録可能回数を減算して記憶する回数記憶手段と、前記回数記憶手段に記憶する前記映像データの設定記録可能回数を受け付ける回数受付手段と、前記設定記録可能回数を受け付けた場合に、前記回数記憶手段に記憶された記録可能回数を前記設定記録可能回数に変更する手段と、前記第１記録媒体の残容量が所定量以下である場合に、前記回数受付手段が設定記録可能回数を受け付けた映像データを、前記第１記録媒体から削除する映像データの候補として表示する手段とを備えることを特徴とする。
ここで、第１記録媒体としては、例えばＨＤＤ等の磁気記録装置、及び内蔵型フラッシュメモリ等の電気記録装置が挙げられる。
また、第２記録媒体としては、例えば映像記録装置に内蔵された光ディスクドライブ装置に装着されたＢＤ及びＤＶＤ等の光ディスク、映像記録装置にデジタル接続された他の映像記録装置のＨＤＤ、他の映像記録装置に内蔵された光ディスクドライブ装置に装着されたＢＤ及びＤＶＤ等の光ディスクが挙げられる。
本発明に係る映像記録装置は、記録可能回数が制限されている映像データを、第１記録媒体に記録する手段と、該第１記録媒体に記録された映像データを第２記録媒体に記録するデータ記録手段と、前記第１記録媒体に記録した映像データの記録可能回数を記憶し、前記データ記録手段により第２記録媒体に前記映像データが記録された場合に該映像データの記録可能回数を減算して記憶する回数記憶手段と、前記回数記憶手段に記憶する前記映像データの設定記録可能回数を、映像データのジャンル別に受け付ける回数受付手段と、前記設定記録可能回数を受け付けた場合に、前記回数記憶手段に記憶された記録可能回数を前記設定記録可能回数に変更する手段とを備えることを特徴とする。
【００１１】
本発明に係る映像記録装置は、前記映像データ及び該映像データに付与された付与記録可能回数を入力する手段と、前記付与記録可能回数を前記回数記憶手段に記憶する手段とを備えることを特徴とする。
【００１２】
本発明に係る映像記録装置は、前記回数受付手段は、前記付与記録可能回数の制限範囲内で、前記設定記録可能回数を受け付けるように構成されていることを特徴とする。
【００１３】
本発明に係る映像記録装置は、前記映像データを前記第１記録媒体から前記第２記録媒体に記録した回数が前記設定記録可能回数と等しくなった場合に、前記映像データを前記第１記録媒体から削除する手段を備えることを特徴とする。
【００１４】
本発明に係る映像記録装置は、（前記付与記録可能回数−前記映像データを前記第１記録媒体から前記第２記録媒体に記録した回数）を表示する手段を備えることを特徴とする。
【００１６】
本発明に係る映像記録装置は、前記回数受付手段は、映像データを前記第１記録媒体に記録する前に、前記設定記録可能回数を受け付けるように構成されていることを特徴とする。
【００１８】
本発明に係る映像記録装置は、映像データの記録の予約を受け付ける手段を備え、前記回数受付手段は、前記記録の予約を受け付けた場合に前記設定記録可能回数を受け付けるように構成されていることを特徴とする。
【００１９】
本発明に係るテレビジョン受信機は、前記映像データとしてのテレビジョン放送信号を受信する手段と、前記映像データに基づく映像を表示する手段と、上述の映像記録装置とを備えることを特徴とする。
【００２０】
本発明においては、ＨＤＤ等の記録媒体を内蔵するＢＤレコーダ及びＤＶＤレコーダ等の映像記録装置に多数記録される、記録可能回数の制限がある映像データについて、必要に応じて記録可能回数を変更することができる。例えばダビング１０等、１０回のコピーが可能な映像データであっても、１回又は２回ダビングした後は消去してもよいと考えられる映像データについては、ユーザがダビング可能回数（設定記録回数）を１回又は２回と、付与記録可能回数の範囲内で自由に設定することができる。
そして、必要回数ダビングした後は自動的にその映像データが録画リストから消去されるように構成することで、不要な手間をかけずに、映像データを容易に管理及び整理することができる。
本発明においては、第１記録媒体の残容量が所定量以下である場合に、設定記録可能回数を受け付けた映像データを削除候補として表示することにより、ユーザは長期に保存する必要がないと考えて記録可能回数を設定した前記映像データの速やかな削除を指示することができる。すなわち、ユーザの意思に起因して不要な映像データが削除されることになる。
また、本発明においては、ユーザは、映像データを一律に又はジャンル毎に、ユーザの所望に応じて記録可能回数を指定することができる。
【００２１】
また、放送局及びコンテンツ配信サーバ等の映像データの送信元から映像データ及び該映像データの付与記録可能回数を入力するように構成されている場合に、該付与記録可能回数の範囲内で記録可能回数を設定することができる。
【００２２】
そして、（付与記録可能回数−映像データを第１記録媒体から第２記録媒体に記録した回数）を表示する手段を備えることにより、この記録可能である、残余の回数の範囲内で、必要に応じて設定記録可能回数を増加させることもできる。
【００２５】
そして、本発明においては、ユーザは録画予約時に、将来のダビングの可能性を加味して、記録可能回数を指定することができる。
【発明の効果】
【００２６】
本発明によれば、ユーザは、記録可能回数に制限がある映像データについて、必要に応じて記録可能回数を変更することができるので、ダビング後にそれぞれの映像データを消去するかどうかを判断しながら不要な場合には消去するという操作をする必要がなく、内蔵記録媒体に記録された映像データが所望回数ダビングされることで自動的に整理される。すなわち、録画された映像データを再生して確認し、削除するという煩雑な操作が不要になり、容易に映像データを管理及び整理することができる。
【図面の簡単な説明】
【００２７】
【図１】本発明の実施の形態１に係る映像記録装置の構成を示すブロック図である。
【図２】本発明の実施の形態１に係る映像記録装置の制御部による録画予約設定の処理の手順を示すフローチャートである。
【図３】録画予約の設定のＧＵＩ画面の一例を示す図である。
【図４】録画予約のリストを表すＧＵＩ画面の一例を示す図である。
【図５】制御部による再生の処理の手順を示すフローチャートである。
【図６】記録媒体がＨＤＤのＨＤである場合に、管理部から読み出された録画リストを表すＧＵＩ画面の一例を示す図である。
【図７】Ｎｏ．２のコンテンツが選択され、ダビング可能回数が「１０」から「２」に変更された状態の録画リストの画面を示す図である。
【図８】制御部によるダビングの処理の手順を示すフローチャートである。
【図９】ダビング元がＨＤＤである場合に、管理部から読み出されたコンテンツの録画リストを表すＧＵＩ画面の一例を示す図である。
【図１０】ダビング元がＨＤＤである場合に、管理部から読み出されたコンテンツの録画リストを表すＧＵＩ画面の一例を示す図である。
【図１１】ダビング終了後に表示された録画リストのＧＵＩ画面の一例を示す図である。
【図１２】録画リストを表すＧＵＩ画面の一例を示す図である。
【図１３】削除するコンテンツの候補を表すＧＵＩ画面の一例を示す図である。
【図１４】本発明の実施の形態２に係る映像記録装置におけるＧＵＩ画面の一例を示す図である。
【図１５】本発明の実施の形態３に係るＢＤ・ＨＤＤ内蔵テレビジョン受信機の構成を示すブロック図である。
【図１６】本発明の実施の形態４に係る映像記録装置を含むコンテンツ配信システムの構成を示すブロック図である。
【図１７】本発明の実施の形態４に係る映像記録装置の構成を示すブロック図である。
【図１８】制御部による映像データ保存の処理手順を示すフローチャートである。
【図１９】コピー可能回数の設定のＧＵＩ画面の一例を示す図である。
【発明を実施するための形態】
【００２８】
以下、本発明をその実施の形態を示す図面に基づき具体的に説明する。
実施の形態１．
図１は、本発明の実施の形態１に係る映像記録装置（ＢＤレコーダ）１の構成を示すブロック図である。
図中、２はアンテナ９で受信した放送信号を増幅し、制御部３から与えられた制御信号に応じて特定チャンネルの信号を選択するチューナであり、チューナ２は、選択した信号を映像／音声信号処理部４へ与える。映像／音声信号処理部４には、外部出力部５、外部入力部６、及び伝送制御処理部７がデータ伝送線により接続されている。
【００２９】
伝送制御処理部７には、ＢＤドライブ部８及びハードディスク装置（ＨＤＤ）１０がデータ伝送線により接続されている。映像記録装置１は、上述したような接続構成により、チューナ２で受信した放送番組の映像データを映像／音声信号処理部４、伝送制御処理部７、並びにＢＤドライブ部８及びＨＤＤ１０へ伝送できるように構成されている。また、映像記録装置１においては、ＢＤドライブ部８及びＨＤＤ１０のそれぞれの間で伝送制御処理部７を通じてデータを伝送できるように構成されている。
【００３０】
制御部３は、上述した各部の作動に対する制御、録画（記録）処理に係る制御、録画予約に係る制御及び装置全体に対する制御、並びに各部の処理状態の把握等を行う。制御部３には、チューナ２、映像／音声信号処理部４、外部出力部５、外部入力部６、伝送制御処理部７、ＢＤドライブ部８、ＨＤＤ１０、遠隔操作装置１３から送信された赤外光の信号を受信する受信部１１、表示部１２、ＲＯＭ１４、ＲＡＭ１５、管理部（回数記憶手段）１６等が接続されている。制御部３は、ＲＯＭ１４に記録されているプログラムに基づき所要の制御処理を行う。ＲＯＭ１４には、本発明に係る記録可能回数設定処理のコンピュータプログラムも記録されている。
【００３１】
管理部１６には、録画する映像データの録画予約リスト、及び録画された映像データの録画リストが記録されている。この映像データのリストの項目として、ＩＤＮｏ.、タイトル名、録画日、記録モードが挙げられる。ＨＤＤ１０の録画予約リスト及び録画リストの場合、ダビング残余回数及びダビング可能回数の項目が追加される。「ダビング残余回数」はＨＤＤ１０から他の記録媒体へのダビング（コピー）が可能な回数であり、映像データに付与されたダビング可能回数（ダビング１０の場合、「１０」）から（ＨＤＤ１０から他の記録媒体へのダビングを行った回数）を減じた値である。「ダビング可能回数」は、後述するようにしてユーザが設定する設定ダビング可能回数から（ＨＤＤ１０から他の記録媒体へのダビングを行った回数）を減じた値である。
制御部３は、前記記録可能回数設定処理のプログラムに従って、映像データを第１記録媒体に記録する手段、データ記録手段、回数受付手段、及び回数記憶手段に記憶された記録可能回数を設定記録可能回数に変更する手段等としての機能を実行する。
【００３２】
遠隔操作装置１３は、電源ボタン、再生ボタン、記録ボタン、複製ボタン等を有する操作部を備えており、操作部の操作に応じた赤外光の信号を送信する。
受信部１１は、遠隔操作装置１３から送信された赤外光の信号を受信するフォトダイオードを備えており、操作部の操作状態を検出する。
表示部１２は、液晶ディスプレイを備えており、映像記録装置１の動作状態、時刻等を表示する。
【００３３】
外部出力部５は、外部へ画像・音声データ等を出力するものであり、映像記録装置１が受信した放送内容及び再生する内容等に係る映像及び音声を出力できる装置としてのテレビジョン受信機等の各種の表示装置、及び他の映像記録装置が接続される。本実施の形態の外部出力部５は、複数の出力端子を具備し、具体的には映像出力端子、Ｓ映像端子、Ｄ映像端子、音声出力端子、光デジタル端子、ＨＤＭＩ（High-Definition Multimedia Interface：登録商標）端子、及びアンテナ出力端子等を備えている。
また、外部入力部６は、テレビジョン受信機、他の映像記録装置、セットトップボックス（STB）等から出力された各種データを受け付けるものであり、本実施の形態では映像
入力端子、Ｓ映像入力端子、及び音声入力端子をそれぞれ２系統ずつ設けている。
【００３４】
映像／音声信号処理部４は、受け付けた映像データに対して所要の処理を行うと共に、処理を行った映像データを制御部３が指定する先へ伝送するものである。映像／音声信号処理部４が行う処理としては、映像データのデコード処理、ダウンコンバート処理、アップコンバート処理等の映像データ変換処理等がある。
【００３５】
伝送制御処理部７は、受け付けた映像データを制御部３の制御に従い、所要の伝送先へ伝送する処理を行うものである。具体的なデータの伝送形態としては、放送番組の録画を行う場合、チューナ２が受信した映像データを映像／音声信号処理部４を通じて伝送制御処理部７が取得し、取得した映像データを録画先となるＢＤドライブ部８及びＨＤＤ１０のいずれかへ伝送する。「ダビング１０」及び「コピーワンス」が適用される映像データはまず、ＨＤＤ１０へ伝送される。
【００３６】
ＢＤドライブ部８及びＨＤＤ１０間でディスク間ダビング処理を行う場合、伝送制御処理部７を通じてダビング元のディスクからダビング先のディスクへデータが伝送される。
【００３７】
ＢＤドライブ部８は、ＢＤ又はＤＶＤ等の光ディスクに対して映像データの書き込み処理及び読み出し処理を行う。ＢＤドライブ部８は、ＢＤ等を映像記録装置１の内部へ受け入れるためのトレイ及びトレイ駆動機構等を有すると共に、受け入れたＢＤ等を回転駆動するためのモータ部、並びにトレイ上のＢＤ等の空き容量検出、ＢＤ等へのデータ書込、ＢＤ等からのデータ読出等を行うための青色光を発する光ピックアップ部８ａを有する。ＢＤドライブ部８は、ＢＤ等から映像データを読み出した場合、そのデータを伝送制御処理部７へ順次伝送する。そして、ＢＤ等へ映像データの書き込み処理を行う場合、ＢＤドライブ部８は伝送制御処理部７から順次送られてくる映像データを光ピックアップ部８ａによりＢＤ等へ書き込む。
【００３８】
映像記録装置１に内蔵されているＨＤＤ１０は、制御回路、モータ駆動部、データが記録される磁気ディスク（ＨＤ：第１記録媒体）、及びヘッド部等を有する。ＨＤＤ１０においては、書き込むためのデータを伝送制御処理部７から受け取った場合、制御回路の制御に従いモータ駆動部が磁気ディスクを回転させてヘッド部を磁気ディスクの書込箇所に移動させて、送られてくるデータを磁気ディスクへ書き込むように構成されている。
また、制御部３からデータ読出信号を受信した場合、制御回路の制御に従い、モータ駆動部が磁気ディスクを回転させてヘッド部により磁気ディスクの所要箇所から映像データが読み出され、その映像データが伝送制御処理部７へ送られる。
【００３９】
以下、本実施の形態に係るダビング可能回数の設定処理について説明する。本実施の形態においては、録画予約時、映像データの再生時、及びダビング時にダビング可能回数の設定を行うことが可能である。
まず、録画予約の設定時にダビング可能回数を設定する場合について説明する。
図２は、制御部３による録画予約設定の処理手順を示すフローチャートである。
制御部３は、ユーザによる遠隔操作装置１３の操作により録画予約の指示を受け付けたか否かを判定する（Ｓ１）。制御部３は録画予約の指示を受け付けていないと判定した場合（Ｓ１：ＮＯ）、処理を繰り返す。
【００４０】
制御部３は録画予約の指示を受け付けたと判定した場合（Ｓ１：ＹＥＳ）、設定のＧＵＩ（グラフィカル・ユーザインタフェイス）画面をＨＤＭＩ接続されたテレビジョン受信機の表示パネル又は表示部１２に表示し、ユーザによる遠隔操作装置１３の操作により予約情報を受け付けたか否かを判定する（Ｓ２）。予約情報として、タイトル名、録画開始時間、録画終了時間、チャンネル、録画先、記録モードが挙げられる。録画先としては、ＢＤドライブ部８、ＨＤＤ１０、並びに映像記録装置１とＵＳＢ（Universal Serial Bus）接続された他の映像記録装置のＨＤＤ及びＢＤドライブ部等の光ディスクドライブ部が挙げられる。記録モードとしては、ＤＲ（非圧縮：Direct Recording）、２倍、５倍、１０倍等が挙げられる。制御部３はこの予約情報を受け付けていないと判定した場合（Ｓ２：ＮＯ）、処理を繰り返す。
【００４１】
制御部３は予約情報を受け付けたと判定した場合（Ｓ２：ＹＥＳ）、録画先はＨＤＤ１０、及び映像記録装置１とＵＳＢ接続され、ダビング１０に対応した録画ができ、制御部３がダビングを管理できるＨＤＤのうちのいずれかのＨＤＤ、又は光ディスクドライブ部のいずれであるかを判定する（Ｓ３）。録画先が前記ＨＤＤである場合、ダビング１０が適用される映像データが録画されたとき、他の記録媒体への１０回のコピー（１０回目はムーブ）が可能であり、コピーワンスが適用される有料のＢＳデジタル放送及びＣＳ放送等のコンテンツが録画されたとき、他の記録媒体への１回のコピー（ムーブのみ）が可能である。制御部３は録画先が前記ＨＤＤでなく、光ディスクドライブ部であると判定した場合（Ｓ３：ＮＯ）、本実施の形態に係るダビング可能回数設定処理は適用できないので、処理をステップＳ６へ進める。
制御部３は録画先が前記ＨＤＤであると判定した場合（Ｓ３：ＹＥＳ）、前記設定画面に「ダビング残余回数」及び「ダビング可能回数」の項目を追加して表示する（Ｓ４）。
【００４２】
図３は、録画予約の設定のＧＵＩ画面の一例を示す図である。
図３において、上述の予約情報に加えて、「ダビング残余回数」及び「ダビング可能回数」の項目が表示されている。
「ダビング残余回数」としては、ダビング１０が適用されるコンテンツの場合、ダビング可能回数の最大値である「１０」が示され、コピーワンスが適用されるコンテンツの場合、「１」が示される。
設定画面にはダビング残余回数が表示されているので、ユーザはこれを参考にし、ダビング可能回数の変更を希望する場合、ダビング可能回数の表示部分を選択して、ダビング残余回数、すなわちダビング可能回数の最大値を超えない範囲（ダビング１０の場合、１以上１０以下の範囲、コピーワンスの場合、１）で所望のダビング設定回数（設定記録可能回数）の入力を行う。そして、遠隔操作装置１３の録画予約の「決定」ボタン（図示せず）を押下する。ここでは、「５」が入力されたとする。
【００４３】
制御部３は、以上の設定ダビング可能回数の入力（ダビング可能回数の変更）を受け付けたか否かを判定する（Ｓ５）。制御部３はダビング可能回数の変更を受け付けていない、すなわち設定ダビング可能回数が入力されることなく遠隔操作装置１３の録画予約の「決定」ボタンが押下されたと判定した場合（Ｓ５：ＮＯ）、処理をステップＳ６へ進める。
制御部３はダビング可能回数の変更を受け付けたと判定した場合（Ｓ５：ＹＥＳ）、録画予約の設定を行い、管理部１６に設定したダビング可能回数を含む録画予約リストを記憶し（Ｓ６）、処理を終了する。
【００４４】
図４は、以上のようにして設定された録画予約リストを表すＧＵＩ画面の一例を示す図である。
図４の録画予約リストには、コンテンツのＩＤNo.、タイトル名、録画開始時間、録画
終了時間、チャンネル、録画先、記録モード、ダビング残余回数、及びダビング可能回数が示されている。
図４の録画予約リスト中、No.４はコピーワンスが適用されるコンテンツ、他はダビン
グ１０が適用されるコンテンツである。
ダビング１０の場合、予め付与されたダビング可能回数は１０回であるが、No.３、及
びNo.５のコンテンツにおいては、ユーザによりダビング可能回数がそれぞれ５回、１回
に変更された状態で設定されている。
【００４５】
次に、再生時にダビング可能回数を設定する場合について説明する。
図５は、制御部３による再生の処理の手順を示すフローチャートである。
まず、制御部３は、ユーザによる遠隔操作装置１３の操作により再生の指示を受け付けたか否かを判定する（Ｓ１１）。再生の指示を受け付ける場合、再生するコンテンツが記録されている記録媒体も受け付けるものとする。この記録媒体としては、ＨＤＤ１０、映像記録装置１とＵＳＢ接続された増設のＨＤＤのＨＤ、ＢＤドライブ部８に装着されたＢＤ、ＤＶＤ等の光ディスクが挙げられる。制御部３は再生の指示を受け付けていないと判定した場合（Ｓ１１：ＮＯ）、処理を繰り返す。
【００４６】
制御部３は再生の指示を受け付けたと判定した場合（Ｓ１１：ＹＥＳ）、コンテンツが記録された記録媒体の録画リスト（再生リスト）を表示する（Ｓ１２）。
次に、制御部３はコンテンツの選択を受け付けたか否かを判定する（Ｓ１３）。制御部３はコンテンツの選択を受け付けていないと判定した場合（Ｓ１３：ＮＯ）、処理を繰り返す。
制御部３はコンテンツの選択を受け付けたと判定した場合（Ｓ１３：ＹＥＳ）、ダビング可能回数の変更を受け付けたか否かを判定する（Ｓ１４）。ここで、ダビング可能回数の変更ができるのは、ＨＤＤに記録されたコンテンツであり、しかも最初にデジタル放送番組を録画した、起点となるＨＤＤに記録されたコンテンツであり、録画リストにダビング残余回数及びダビング可能回数の項目を含むものである。
【００４７】
図６は、前記記録媒体が前記ＨＤＤのＨＤである場合に、管理部１６から読み出された録画リストを表すＧＵＩ画面の一例を示す図である。
図６の録画リストには、コンテンツのＩＤNo.、タイトル名、録画日、記録モード、ダ
ビング残余回数、及びダビング可能回数が示されている。また、図中、「ＮＥＷ」は未再生であることを示す。
ユーザは録画リストを見て、再生するコンテンツを遠隔操作装置１３のボタンにより選択する。録画リストにはダビング残余回数が表示されているので、ユーザはこれを参照し、ダビング可能回数の変更を希望する場合、ダビング可能回数の表示部分を選択して、ダビング可能回数の入力を行う。そして、「決定」ボタンを押下する。
【００４８】
図７は、Ｎｏ．２のコンテンツが選択され、ダビング可能回数が、図６の「１０」から「２」に変更された状態の録画リストの画面を示す図である。
ダビング可能回数はこのように減じる場合に限定されるものではなく、例えばＮｏ．３のコンテンツを再生するために選択した場合、ダビング残余回数を参照してダビング可能回数を「５」から「７」に変更することもできる。
さらに、再生するコンテンツのみについて、ダビング可能回数を変更することができるのではなく、録画リストに表示されている他のコンテンツのダビング可能回数を変更することもできる。
【００４９】
制御部３は、以上のようにしてダビング可能回数の変更を受け付けたか否かを判定する（Ｓ１４）。制御部３はダビング可能回数の変更を受け付けていないと判定した場合（Ｓ１４：ＮＯ）、すなわちコンテンツの選択後、ダビング可能回数の入力を受け付けることなく、再生の「決定」ボタンが押下された場合、又は再生コンテンツが前記ＨＤＤではなく、ＢＤ等のダビング元とはなり得ない記録媒体に記録されており、ダビング可能回数の設定項目がない場合、処理をステップＳ１６へ進める。
【００５０】
制御部３はダビング可能回数の変更を受け付けたと判定した場合（Ｓ１４：ＹＥＳ）、ダビング可能回数を入力された数に設定し、管理部１６の録画リストに記憶した後（Ｓ１５）、再生処理を行う（Ｓ１６）。
制御部３は再生が終了したか否かを判定する（Ｓ１７）。制御部３は再生が終了していないと判定した場合（Ｓ１７：ＮＯ）、処理を繰り返す。
制御部３は再生が終了したと判定した場合（Ｓ１７：ＹＥＳ）、処理を終了する。
【００５１】
次に、ダビング時にダビング可能回数を設定する場合について説明する。
図８は、制御部３によるダビングの処理の手順を示すフローチャートである。
制御部３は、ユーザによる遠隔操作装置１３の操作によりダビングの指示を受け付けたか否かを判定する（Ｓ２１）。ここで、ダビングの指示を受け付ける場合、ダビング先及びダビング元の情報も受け付ける。ダビング元及びダビング先の組合せとしては、ＨＤＤ１０、ＢＤドライブ部８に装着されたＢＤ，ＤＶＤ等の光ディスク、映像記録装置１とＨＤＭＩ接続された他の映像記録装置のＨＤＤ及び他の映像記録装置に備えられた光ディスクドライブの光ディスクの間で種々の組合せが考えられる。制御部３はダビングの指示を受け付けていないと判定した場合（Ｓ２１：ＮＯ）、処理を繰り返す。
【００５２】
制御部３はダビングの指示を受け付けたと判定した場合（Ｓ２１：ＹＥＳ）、ダビング元の録画リストを表示する（Ｓ２２）。
次に、制御部３はコンテンツの選択を受け付けたか否かを判定する（Ｓ２３）。制御部３はコンテンツの選択を受け付けていないと判定した場合（Ｓ２３：ＮＯ）、処理を繰り返す。
【００５３】
制御部３はコンテンツの選択を受け付けたと判定した場合（Ｓ２３：ＹＥＳ）、ダビング可能回数の変更を受け付けたか否かを判定する（Ｓ２４）。ここで、ダビング可能回数の変更ができるのは、ＨＤＤに記録されたコンテンツであり、しかも最初にデジタル放送番組を録画した、起点となるＨＤＤに記録されたコンテンツであり、録画リストにダビング残余回数及びダビング可能回数の項目を含むものである。そして、映像記録装置１とＵＳＢ接続された増設のＨＤＤに録画された映像データは、ＨＤＤ１０にムーブされた後、他の記録媒体へダビングされることになるので、ダビング可能回数の変更ができる、ダビング元のＨＤＤはＨＤＤ１０に限定される。
【００５４】
図９及び図１０は、ダビング元がＨＤＤ１０である場合に、管理部１６から読み出されたコンテンツの録画リストを表すＧＵＩ画面の一例を示す図である。
図９及び図１０の録画リストには、コンテンツのＩＤNo.、タイトル名、録画日、記録
モード、ダビング残余回数、及びダビング可能回数が示されている。
ユーザは録画リストを見て、ダビング元のコンテンツを遠隔操作装置１３のボタンにより選択する。録画リストにはダビング残余回数が表示されているので、ユーザはこれを参照し、ダビング可能回数の変更を希望する場合、ダビング可能回数の表示部分を選択して、ダビング可能回数の入力を行う。そして、「決定」ボタンを押下する。
【００５５】
図９において、ＩＤNo.３のコンテンツが選択され、ダビング可能回数の表示部分が選
択されている。そして、ユーザの入力により、図１０に示すようにダビング可能回数が「５」から「２」に変更される。ダビング可能回数はこのように減じる場合に限定されるものではなく、ダビング残余回数を参照してダビング可能回数を「５」から「７」に変更することもできる。
さらに、ダビング元のコンテンツのみダビング可能回数を変更することができるのではなく、録画リストに表示されている他のコンテンツのダビング可能回数を変更することもできる。
【００５６】
制御部３は、以上のようにしてダビング可能回数の変更を受け付けたか否かを判定する（Ｓ２４）。制御部３はダビング可能回数の変更を受け付けていないと判定した場合（Ｓ２４：ＮＯ）、すなわちコンテンツの選択後、ダビング可能回数の入力を受け付けることなく「決定」ボタンが押下された場合、又はダビング元のコンテンツがＨＤＤ１０ではなく、ＢＤ等のコピーできない記録媒体に記録され、ダビング可能回数の設定項目がない場合、処理をステップＳ２６へ進める。
【００５７】
制御部３はダビング可能回数の変更を受け付けたと判定した場合（Ｓ２４：ＹＥＳ）、ダビング可能回数を入力された数に設定し、管理部１６の録画リストに記憶した後（Ｓ２５）、ダビング処理を行う（Ｓ２６）。
制御部３はダビングが終了したか否かを判定する（Ｓ２７）。制御部３はダビングが終了していないと判定した場合（Ｓ２７：ＮＯ）、処理を繰り返す。
【００５８】
制御部３はダビングが終了したと判定した場合（Ｓ２７：ＹＥＳ）、処理を終了する。
図１１は、ダビング終了後に表示された録画リストのＧＵＩ画面の一例を示す図である。
ＩＤNo.３のコンテンツをダビングしたので、ダビング残余回数及びダビング可能回数
ともに数値が「１」減じている。
そして、さらにＩＤNo.３のコンテンツをダビングした場合、ダビング可能回数が１で
あるときにダビングが指示されることになり、設定ダビング可能回数とダビングした回数とが一致することになり、映像データがＨＤＤ１０から光ディスクへムーブされ、図１２に示すように、録画リストからＩＤNo.３のコンテンツは消去される。
【００５９】
以上のように、本実施の形態においては、ＨＤＤ１０を内蔵するＢＤレコーダ等の映像記録装置１に多数記録される、ダビング可能回数に制限のある映像データについて、必要に応じてダビング可能回数を付与ダビング可能回数の範囲（ＨＤＤに録画した後はダビング残余回数の範囲）内で自由に変更することができる。例えばダビング１０が適用され、１０回のコピーが可能であっても、２回ダビングした後は消去してもよい映像データについては、ユーザがダビング可能回数を２回に設定することができる。
そして、必要回数ダビングした後は自動的にその映像データがムーブによりＨＤＤ１０から消去されるので、録画リストからコンテンツを選んで再度視聴し、その内容を確認して不要な場合は消去する等の煩雑な操作が不要になり、映像データを容易に管理及び整理することができる。
【００６０】
なお、本実施の形態においては、録画予約の設定時、再生処理時、及びダビング処理時にダビング可能回数の設定を受け付けるように構成されているが、この場合に限定されるものではない。録画予約の設定時、再生処理時、及びダビング処理時のうちの少なくとも１つにおいて、ダビング可能回数の設定を受け付けるように構成されていればよい。また、録画処理時にダビング可能回数の設定を受け付けることにしてもよい。
【００６１】
そして、本実施の形態の映像記録装置１においては、制御部３がＨＤＤ１０の容量が所定量以下になったと判定した場合、削除するコンテンツの候補を表示して、ユーザに削除の可否を問うように構成することにしてもよい。ここで、削除するコンテンツの候補として、ユーザがダビング可能回数を減じたコンテンツを挙げることができる。該コンテンツは、ユーザが、所定回数ダビングした後は、ダビング可能回数が残存している場合でもＨＤＤ１０に残す必要がないと考えてダビング可能回数を設定したとみなされるからである。
【００６２】
ユーザが映像記録装置１の使用中に、表示部１２又はテレビジョン受信機の表示パネルに、図１３に示すＧＵＩ画面が表示され、削除するコンテンツの候補が示される。ここでは設定ダビング可能回数が２であるＩＤNo.２のコンテンツが示されている。ユーザは、
「はい」又は「いいえ」を選択することで、削除の可否を指示することができる。
これにより、制御部３がダビング可能回数の変更を受け付けたコンテンツを優先的に削除候補に挙げることができ、ユーザの意思に起因して不要なコンテンツを速やかに削除することができる。
【００６３】
実施の形態２．
本発明の実施の形態２に係る映像記録装置は、前記実施の形態１に係る映像記録装置１と同様の構成を有し、設定ダビング可能回数とダビングした回数とが一致した場合、ＨＤＤ１０のダビング元の映像データを自動的に消去する機能を備えている。そして、実施の形態１に係る映像記録装置１とは、ＨＤＤ１０に記録された映像データについて、都度、ダビング可能回数を設定するのではなく、映像記録装置１がデジタル放送等の映像データを記録する場合に一律に、又はジャンル別にダビング可能回数を設定できるように構成されている点が相違する。
【００６４】
図１４は、本発明の実施の形態２に係る映像記録装置におけるＧＵＩ画面の一例を表す図である。
ユーザが遠隔操作装置１３のメニューボタンを押下した場合、遠隔操作装置１３とＨＤＭＩ接続されたテレビジョン受信機の表示パネルに、各種の項目について設定するメニュー画面が表示され、メニューの中のダビング可能回数の設定を選択したとき、図１４に示すＧＵＩ画面が表示される。この画面において、ダビング１０の全映像データに一律に設定する回数を適用するのか、又はジャンル毎に設定するのかを選択することができる。 
【００６５】
図１４ではダビング１０の全タイトル（コンテンツ）に適用することが選択されており、ダビング可能回数は遠隔操作装置１３により「３」が入力、指定されている。このように設定された映像記録装置では、設定後の録画では、コピーワンスの映像データはコピーワンスのままであるが、ダビング１０のデジタル放送については上述のように指定されたダビング可能回数３回の映像データとして録画及び管理が行われる。そしてダビング可能回数が３回のコンテンツについては、ダビングが３回行われた場合、自動的にＨＤＤ１０の映像データがムーブされ、管理部１６の録画リストから消去される。
【００６６】
そして、図１４のＧＵＩ画面でジャンル別に適用することを選択した場合は、例えば映画のダビング可能回数は５回、スポーツは１回、ドラマは３回というように、ユーザの好みに応じてジャンル別に設定することが可能である。
【００６７】
以上のように本実施の形態の映像記録装置によって、ユーザは一律に、又はジャンル別にダビング可能回数をダビング１０の付与ダビング可能回数の範囲内で設定できるので、必要回数ダビングするだけで、手間をかけずに自動的にダビング元のＨＤＤ１０の映像データを消去することができる。
【００６８】
実施の形態３．
図１５は、本発明の実施の形態３に係るＢＤ・ＨＤＤ内蔵テレビジョン受信機２０の構成を示すブロック図である。図中、図１と同一部分は同一符号を付して詳細な説明を省略する。
ＢＤ・ＨＤＤ内蔵テレビジョン受信機２０は映像表示部１８を備えており、映像表示部１８は、例えば液晶ディスプレイ（ＬＣＤ；Liquid Crystal Display）、プラズマディスプレイパネル（ＰＤＰ；Plasma Display Panel）等のディスプレイを備えている。映像表示部１８は、映像／音声信号処理部４、ＢＤドライブ部８、及びＨＤＤ１０のいずれかから伝送制御処理部７により入力された映像データに基づいて、前記ディスプレイに映像を表示する。
【００６９】
本実施の形態においては、ＢＤ・ＨＤＤ内蔵テレビジョン受信機２０に内蔵されるＨＤＤ１０に多数記録される、ダビング可能回数に制限のある映像データについて、必要に応じてダビング可能回数をダビング残余回数の範囲内で自由に変更することができる。そして、必要枚数ダビングした後は自動的にその映像データがムーブによりＨＤＤ１０から消去されるので、録画リストからコンテンツを選んで再度視聴し、その内容を確認して不要な場合は消去する等の煩雑な操作を行うことなく、映像データを容易に管理及び整理することができる。
【００７０】
実施の形態４．
本発明の実施の形態４に係る映像記録装置３０は、携帯電話機、スマートフォン、及びＰＤＡ（Personal Digital Assistant）等の携帯通信端末、タブレット型のＰＣ（Personal Computer）等であり、ＦＴＴＨ（Fiber To The Home）、ＡＤＳＬ、ＣＡＴＶ等のブロードバンドを用いてコンテンツ配信を行うコンテンツ配信サーバ２１からコンテンツ、及び該コンテンツのコピー／ムーブの回数を制限する鍵情報を配信されるように構成されている。
【００７１】
図１６は映像記録装置３０を含むコンテンツ配信システムの構成を示すブロック図、図１７は映像記録装置３０の構成を示すブロック図である。
コンテンツ配信サーバ２１は、映像コンテンツを保存し、管理する映像コンテンツ管理部２２と、映像コンテンツに係る映像データを暗号化する暗号化処理部２３と、ユーザに配信する映像データに対し所定の回数までコピーを許容するコピー制限鍵情報を付与するコピー制限付与部２４と、映像コンテンツを購入するユーザのＩＤを管理するＩＤ管理部２５とを備える。
【００７２】
映像記録装置３０は、制御部３、映像／音声信号処理部４、外部出力部５、外部入力部６、表示部１２、ＲＯＭ１４、ＲＡＭ１５、管理部１６、通信部３１、映像データ記憶部３２、及び操作部３３を備える。図１７中、図１と同一部分は同一符号を付して詳細な説明を省略する。
通信部３１は、インターネット等のネットワーク２９を介して、コンテンツ送信サーバ２１からコンテンツに係る映像データ２６、該映像データ２６を復号化するための復号化鍵情報２７、及び後述するコピー制限鍵情報を入力する。
映像データ記憶部３２は、映像／音声信号処理部４により処理を施された映像データを記憶する。
表示部１２は液晶ディスプレイを備えており、映像記録装置３０の動作状態、時刻等を表示するとともに、映像コンテンツを表示するように構成されている。
操作部３３は、ユーザが各種の操作をするための複数の操作ボタンを備えている。なお、操作ボタンを備える代わりに、表示部１２にタッチパネルボタンを表示することにしてもよい。
【００７３】
ユーザが映像コンテンツを購入する場合、予めコンテンツ送信サーバ２１によって提供されるサービスへの加入を申し込み、入手してあるＩＤを、ネットワーク２５を経由して送信し、コンテンツ配信サーバ２１にアクセスする。
ユーザは、コンテンツ配信サーバ２１にアクセスした後、コンテンツ配信サーバ２１に保存、管理されているコンテンツの中から所望のコンテンツを選択して購入手続きを行う。これにより、暗号化された前記コンテンツに係る映像データ２６と、それを復号化する復号化鍵情報２６と、コンテンツ配信サーバ２１から許容されたコピー可能回数（付与記録可能回数）を管理するコピー制限鍵情報２８とが映像記録装置３０へ配信される。
【００７４】
映像データ２６がダウンロードされた時点で、表示部１２に、映像データの「再生」及び「保存」のうちのいずれかを選択するためのＧＵＩ画面が表示され、ユーザが「保存」を選択した場合、制御部３により映像データ記憶部３２に該映像データ２６が記憶される。このとき、前記コピー可能回数が管理部１６に記憶される。ユーザは、許容されたコピー可能回数内でダウンロードした映像データ２６を他のＢＤレコーダ等のＡＶ機器にコピー又はムーブすることが可能になる。
【００７５】
本実施の形態においては、コンテンツ配信サーバ２１から購入して映像データ記憶部３２に保存する映像データ２６について、配信されたコピー可能回数の範囲内で、コピー可能回数を任意に設定することができる。
【００７６】
図１８は、制御部３による映像データ保存の処理手順を示すフローチャートである。
制御部３は、コンテンツ配信サーバ２１から映像データを入力した場合、「再生」及び「保存」のうちのいずれかを選択するためのＧＵＩ画面を表示する（Ｓ３１）。
制御部３は、「保存」の指示を受け付けたか否かを判定する（Ｓ３２）。制御部３は「保存」の指示を受け付けていないと判定した場合（Ｓ３２：ＮＯ）、すなわち「再生」の指示を受け付けたと判定した場合、「再生」を行い（Ｓ３３）、処理を終了する。
【００７７】
制御部３は「保存」の指示を受け付けたと判定した場合（Ｓ３２：ＹＥＳ）、「コピー残余回数」と、「コピー可能回数」とを示すＧＵＩ画面を表示する（Ｓ３４）。
図１９は、コピー可能回数の設定のＧＵＩ画面の一例を示す図である。
図１９において、「コピー残余回数」及び「コピー可能回数」の項目が表示されている。
「コピー残余回数」は映像記録装置３０から他の記録媒体へのコピー（ダビング）が可能な回数であり、映像データ２６に付与されたコピー可能回数である。例えば「５」とする。「コピー可能回数」は、ユーザが「コピー残余回数」の範囲内で設定するコピー可能回数である。ここで、ユーザは「４」以下の整数を入力して、コピー可能回数を変更することができる。
【００７８】
制御部３は、以上のコピー可能回数の入力（コピー可能回数の変更）を受け付けたか否かを判定する（Ｓ３５）。制御部３はコピー可能回数の変更を受け付けていない、すなわち設定コピー可能回数が入力されることなく、映像データの保存の「決定」ボタンが押下されたと判定した場合（Ｓ３５：ＮＯ）、処理をステップＳ３７へ進める。
制御部３はコピー可能回数の変更を受け付けたと判定した場合（Ｓ３５：ＹＥＳ）、コピー可能回数の設定を行い、コピー残余回数とともに管理部１６へ記憶する（Ｓ３６）。
制御部３は、映像データを映像データ記憶部３２に保存し（Ｓ３７）、処理を終了する。コピー可能回数の変更を受け付けていない場合（Ｓ３５：ＮＯ）は、コピー可能回数の数値はコピー残余回数の数値と同一である。
【００７９】
コピー可能回数の変更は、実施の形態１と同様に、映像データ記憶部３２に記憶された映像データを読み出して再生する指示を受け付けた場合、及び前記映像データを他のＢＤレコーダ等の記録媒体へダビングする指示を受け付けた場合にも行うことができる。
そして、実施の形態１と同様に、必要回数ダビングした後は、自動的にその映像データがムーブにより映像データ記憶部３２から消去されるように構成することができる。      
【００８０】
以上のように、本実施の形態においては、映像記録装置３０に多数記録される、コピー可能回数に制限のある映像データについて、必要に応じてコピー可能回数を付与コピー可能回数の範囲（管理部１６へ記憶した後はコピー残余回数の範囲）内で自由に変更することができる。例えば５回のコピーが可能であっても、３回コピーした後は消去してもよいと考える映像データについては、ユーザがコピー可能回数を３回に設定することができる。そして、必要回数コピーした後は自動的にその映像データが映像データ記憶部３２から消去されるように構成することで、不要な手間をかけずに、映像データを容易に管理及び整理することができる。
【００８１】
なお、本実施の形態においては、映像記録装置３０が携帯端末である場合につき説明しているがこれに限定されるものではない。ＢＤレコーダ及びＤＶＤレコーダ等のレコーダ、又はメディアプレーヤを用いて、コンテンツ配信サーバ２１から映像データをダウンロードする場合にもコピー可能回数の変更処理を適用することができる。
【００８２】
本発明は上述した実施の形態１から４の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
【符号の説明】
【００８３】
１、３０  映像記録装置
２  チューナ
３  制御部
４  映像／音声信号処理部
５  外部出力部
６  外部入力部
７  伝送制御処理部
８  ＢＤドライブ部
９  アンテナ
１０  ＨＤＤ
１１  受信部
１２  表示部
１３  遠隔操作装置
１４  ＲＯＭ
１５  ＲＡＭ
１６  管理部
１８  映像表示部
２０  ＢＤ・ＨＤ内蔵テレビジョン受信機
２１  コンテンツ配信サーバ
２２  映像コンテンツ管理部
２３  暗号化処理部
２４  コピー制限付与部
２５  ＩＤ管理部
２６  映像データ
２７  復号化鍵情報
２８  コピー制限鍵情報
２９  ネットワーク
３１  通信部
３２  映像データ記憶部
３３  操作部
【図１】
0005285168.tif 000002
【図２】
0005285168.tif 000003
【図３】
0005285168.tif 000004
【図４】
0005285168.tif 000005
【図５】
0005285168.tif 000006
【図６】
0005285168.tif 000007
【図７】
0005285168.tif 000008
【図８】
0005285168.tif 000009
【図９】
0005285168.tif 000010
【図１０】
0005285168.tif 000011
【図１１】
0005285168.tif 000012
【図１２】
0005285168.tif 000013
【図１３】
0005285168.tif 000014
【図１４】
0005285168.tif 000015
【図１５】
0005285168.tif 000016
【図１６】
0005285168.tif 000017
【図１７】
0005285168.tif 000018
【図１８】
0005285168.tif 000019
【図１９】
0005285168.tif 000020